(57)【要約】【課題】プラズマディスプレイ装置において、製品の仕向地に応じた情報の設定を容易に行えるようにすることを目的とする。【解決手段】プラズマディスプレイ装置において、パネル１１に画像信号に基づく信号を入力して表示を行うための画像処理回路１２と、製品の仕向地に応じた複数の仕向地情報を記憶する記憶手段１３と、この記憶手段１３に記憶された複数の仕向地情報から製品の仕向地に応じた情報を選択し前記画像処理回路１２にその選択した情報を提供する選択手段１４とを備えた。これにより、製品の仕向地に応じた情報の設定を、専用の設備を用いることなく、容易に行えることとなる。【選択図】  図１
2004151307.tif 000002
【特許請求の範囲】
【請求項１】
電極群を配置した一対の基板を基板間に放電空間が形成されるように対向配置したパネルと、このパネルに画像信号に基づく信号を入力して表示を行うための画像処理手段と、製品の仕向地に応じた複数の仕向地情報を記憶する記憶手段と、この記憶手段に記憶された複数の仕向地情報から製品の仕向地に応じた情報を選択し前記画像処理手段にその選択した情報を提供する選択手段とを備えたプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
一般に、この種のプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
図４にプラズマディスプレイ装置におけるパネルの構造を示している。図４に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図５にこのプラズマディスプレイパネルの電極配列を示している。図５に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００９】
このようなプラズマディスプレイ装置においては、上記で説明したプラズマディスプレイパネル（以下パネルという）と、このパネルを保持するシャーシ部材と、このシャーシ部材に取り付けられ前記パネルに信号を印加して表示を行う表示駆動回路ブロックとでパネルモジュールを構成し、このパネルモジュールを筐体で覆うことにより完成品としている（特許文献１参照）。
【００１０】
このようなプラズマディスプレイ装置は、液晶表示装置やＣＲＴなどの他の表示装置に比べて大画面を実現しやすく、また他の大型の表示装置に比べて鮮明な映像が得られるという特徴を有しており、このため多くの人が集まる場所での情報表示装置として、また家庭で迫力のある映像を楽しむことができる映像機器として脚光を集めている。
【００１１】
【特許文献１】
特許第２８０７６７２号公報
【００１２】
【発明が解決しようとする課題】
ところで、このプラズマディスプレイ装置においては、外観や機能は同一であっても、販売される地域に応じて、画質やオンスクリーン表示の際の言語などの画像処理情報を仕向地毎に設定して出荷する必要がある。
【００１３】
従来は、販売される仕向地に応じて、装置内部の画像処理情報記憶用の記憶手段であるＥＥＰＲＯＭなどのデータを専用の設備により書き換えて設定し、製品を出荷しているが、データの書き換え間違いが発生した場合、再度専用の設備によりデータの変更を行う必要があり、生産性を悪くする要因の一つとなっていた。
【００１４】
本発明はこのような課題を解決し、製品の仕向地に応じた情報の設定を容易に行えるようにすることを目的とするものである。
【００１５】
【課題を解決するための手段】
この課題を解決するために、本発明のプラズマディスプレイ装置は、電極群を配置した一対の基板を基板間に放電空間が形成されるように対向配置したパネルと、このパネルに画像信号に基づく信号を入力して表示を行うための画像処理手段と、製品の仕向地に応じた複数の仕向地情報を記憶する記憶手段と、この記憶手段に記憶された複数の仕向地情報から製品の仕向地に応じた情報を選択し前記画像処理手段にその選択した情報を提供する選択手段とを備えたものである。
【００１６】
これにより、製品の仕向地に応じた情報の設定を、専用の設備を用いることなく、容易に行えることとなる。
【００１７】
【発明の実施の形態】
以下、本発明の一実施の形態によるプラズマディスプレイ装置について、図１〜図３を用いて説明する。
【００１８】
図１は、本発明の一実施の形態におけるプラズマディスプレイ装置の概略ブロック図であり、図１に示すように、一対の基板を基板間に放電空間が形成されるように対向配置するとともに基板に電極群を配置したパネル１１と、このパネル１１に画像信号に基づく信号を入力して表示を行うための画像処理手段としての画像処理回路１２と、製品の仕向地に応じた複数の仕向地情報を記憶するＥＥＰＲＯＭなどからなる記憶手段１３と、この記憶手段１３に記憶された複数の仕向地情報から製品の仕向地に応じた情報を選択し前記画像処理回路１２にその選択した情報を提供する選択手段１４と、この選択手段１４により行う選択動作をオンスクリーン表示するためのオンスクリーン表示手段１５とを備えている。
【００１９】
図２に記憶手段１３の一例として、ＥＥＰＲＯＭに書き込まれたデータ構造を示している。図２に示すように、ＥＥＰＲＯＭには、装置に関するデータが書き込まれており、そのデータはユーザー領域、工場調整領域、出荷設定領域、仕向地別データ領域、固定値領域に分けられて設定されている。そして、仕向地別データ領域には、３２の仕向地に対応した最大５６種類の仕向地別データ１〜５６と、この仕向地別データの設定先のアドレスを書き込んだ設定先アドレスとが記憶されている。
【００２０】
ここで、仕向地別のデータとしては、画像の画角設定、ホワイトバランス、オンスクリーン表示の言語、コントラストなどの画質に関するデータであり、仕向地に応じた情報を決定するデータである。
【００２１】
図３（ａ）、（ｂ）に、選択手段１４の動作を説明するため、選択手段１４により仕向地別設定を行う際のオンスクリーン表示画面の一例を示している。図３（ａ）は仕向地別の情報を設定する際にオンスクリーン表示される画面、図３（ｂ）は仕向地別の情報を設定している状態の画面である。
【００２２】
まず、図３（ａ）に示すように、選択手段１４により、装置の動作設定を行う設定モードを読み出し、そしてその設定モードの中から、工場設定モードである「ＭＳ  Ｍｏｄｅ」を選択すると、図３（ｂ）に示すように、仕向地別情報の設定画面である「Ｍａｒｋｅｔ  Ｓｅｌｅｃｔ」画面が開く。この画面で仕向地別データに対応した仕向地番号（図示のものは５番）を選択し、決定することにより、図２に示す仕向地別データの中から、選択した仕向地番号に該当する仕向地別データが選択される。
【００２３】
すなわち、本発明のプラズマディスプレイ装置においては、製品の仕向地に応じた複数の仕向地情報を記憶する記憶手段１３と、この記憶手段１３に記憶された複数の仕向地情報から製品の仕向地に応じた情報を選択し前記画像処理回路１２にその選択した情報を提供する選択手段１４とを備えたもので、専用の設備を用いることなく、仕向地に応じた状態に設定することができ、万一仕向地の設定を間違った場合でも、簡単に修正することができ、従来のように専用の設備で設定していた場合のように、生産性を阻害してしまうことがない。
【００２４】
【発明の効果】
以上説明したように本発明によれば、主要な仕様が共通であるものの、仕向地に応じて一部の仕様が変更される特質を持つプラズマディスプレイ装置にとって、専用の設備を使用することなく、簡単に仕向地毎に最適な設定を行うことができることにより、生産性を高めることができるという効果が得られる。
【図面の簡単な説明】
【図１】本発明の一実施の形態におけるプラズマディスプレイ装置の概略ブロック図
【図２】本発明において、記憶手段におけるデータ構造の一例を示す説明図
【図３】（ａ）、（ｂ）は本発明において、選択手段の動作を説明するためのオンスクリーン表示例を示す説明図
【図４】プラズマディスプレイのパネル構造を示す概略構成図
【図５】同パネルの電極配線の一例を示す構成図
【符号の説明】
１１  パネル
１２  画像処理回路
１３  記憶手段
１４  選択手段
１５  オンスクリーン表示手段
【図１】
2004151307.tif 000003
【図２】
2004151307.tif 000004
【図３】
2004151307.tif 000005
【図４】
2004151307.tif 000006
【図５】
2004151307.tif 000007